(57)【要約】【課題】ベッドを降りる際に足元などのベッドの周囲を照明することができて、安全性や利便性をより向上させることができるベッドを提供する。【解決手段】ベッド本体１を載置している箇所の周囲の一部を照明する照明ユニット２０の光源２１と、利用者がベッド本体１の端部近傍に移動したことを検知する荷重測定ユニット３０と、荷重測定ユニット３０により利用者がベッド本体の端部近傍に移動したことを検知した際に照明ユニット２０の光源２１を点灯させる中央制御ユニット４０とを備えた。この構成により、夜間などにベッドの利用者がベッドから降りようとしてベッド本体１の端部近傍に移動すると、光源２１が点灯されて足元の床面１０が照明される。これにより、利用者はベッドを降りる前に、降りる箇所などを目で確認しながら安全に降りることができる。【選択図】　　図１
2004024370.tif 000002
【特許請求の範囲】
【請求項１】
ベッド本体を載置している箇所の周囲の少なくとも一部を照明する照明装置と、利用者がベッド本体の端部近傍に移動したことを検知する端部移動検知手段と、端部移動検知手段により利用者がベッド本体の端部近傍に移動したことを検知した際に前記照明装置を点灯させる制御手段とを備えたことを特徴とするベッド。
【請求項２】
端部移動検知手段が荷重検知センサであることを特徴とする請求項１に記載のベッド。
【請求項３】
荷重検知センサが、ベッド本体に設けられている支持脚部と、ベッド本体が設置されている床面との間に介装されていることを特徴とする請求項２に記載のベッド。
【請求項４】
利用者がベッド本体上に存在することを検知する存在検出手段を有し、この存在検出手段により利用者がベッド本体上に存在することを検知しなかった場合には照明装置を点灯させるように構成したことを特徴とする請求項１〜３の何れかに記載のベッド。
【請求項５】
存在検出手段と端部移動検知手段とが荷重検知センサで兼用されていることを特徴とする請求項４に記載のベッド。
【請求項６】
荷重検知センサにより利用者の体重を検知し、その体重の履歴を記憶する記憶手段を備えたことを特徴とする請求項５に記載のベッド。
【発明の詳細な説明】
【０００１】
【発明の属する技術分野】
本発明はベッド、特にベッドの周囲の少なくとも一部を照明装置で自動的に照明する機能を有するベッドに関するものである。
【０００２】
【従来の技術】
高齢者の家庭内事故は年々増加傾向にあり、夜間にベッドから起き上がって室内を移動する際の転倒などの事故が増えている。これに対処する方法の一つとして、ベッドや寝室などに足元灯を設けることは効果があり、バリアフリー住宅では必需品となっている。
【０００３】
しかし、ベッドなどに足元灯を設けた場合でも、夜中にトイレなどのために起き上がった際には、ベッドの利用者は、足元灯を点灯させるためのスイッチを暗闇の中において手探りで探さなければならないため、この際に事故を起こすおそれがある。また、スイッチを暗闇中で探す動作を行わなくても済むように、就寝中も常時足元灯を点灯させるように構成すると、電気代が多くかかるとともに、ベッドの利用者が足元灯の光がまぶしくて、眠り難くなるおそれがある。
【０００４】
これに関する技術として、特開平５−２８３１７４号公報には、ベッドに人体が存在することを検知するベッド検出手段と、ベッドを置いている寝室などの領域に人体が存在することを検知する人体検出手段と、通路を照明する通路照明手段とを設けて、ベッドから利用者が降りた時など、人体検出手段にて人体の存在を検知しながら、ベッド検出手段によりベッドに人体が存在することを検知できない状態となった際に、通路照明手段により通路を自動的に照明することが開示されている。
【０００５】
この技術を応用して、利用者がベッドから降りた際に、足元灯を自動的に点灯させるように構成すれば、足元灯のスイッチなどを探さなくても、ベッドから降りるだけで足元などが照らされるので安全性や利便性が向上することとなる。
【０００６】
【発明が解決しようとする課題】
しかしながら、上記特開平５−２８３１７４号公報の技術を応用して足元灯と組み合わせ、ベッドから降りた際に、足元灯を自動的に点灯させるように構成した場合でも、足元灯は、利用者がベッドから完全に降りてしまってから点灯開始し、ベッドから降りる際には利用者が暗闇の中で足を下ろさなければならないため、ベッドを降りる際に事故を起こしてしまう恐れがある。
【０００７】
本発明は上記課題を解決するもので、ベッドを降りる際に足元などのベッドの周囲を照明することができて、安全性や利便性をより向上させることができるベッドを提供することを目的とするものである。
【０００８】
【課題を解決するための手段】
上記課題を解決するために本発明の請求項１記載のベッドは、ベッド本体を載置している箇所の周囲の少なくとも一部を照明する照明装置と、利用者がベッド本体の端部近傍に移動したことを検知する端部移動検知手段と、端部移動検知手段により利用者がベッド本体の端部近傍に移動したことを検知した際に前記照明装置を点灯させる制御手段とを備えたことを特徴とする。
【０００９】
この構成によれば、夜間などにベッドの利用者がベッドから降りようとしてベッド本体の端部近傍に移動すると、この移動動作が端部移動検知手段にて検知され、照明装置が点灯されてベッド本体を載置している箇所の周囲の少なくとも一部が照明される。これにより、利用者がベッドを降りる前にベッド本体の周囲が照明されるので、利用者は降りる箇所などを目で確認しながら安全に降りることができる。
【００１０】
請求項２記載の発明は、請求項１に記載のベッドにおいて、端部移動検知手段が荷重検知センサであることを特徴とする。
この構成によれば、利用者がベッド本体の端部近傍に移動したことを良好に検知することができる。
【００１１】
請求項３記載の発明は、請求項２に記載のベッドにおいて、荷重検知センサが、ベッド本体に設けられている支持脚部と、ベッド本体が設置されている床面との間に介装されていることを特徴とする。
【００１２】
この構成によれば、ベッド本体に作用する荷重を良好に検出するすることができる。また、一般のベッドに荷重検知センサを後から追加して本発明のシステムに改良することが比較的容易にできる。
【００１３】
請求項４記載の発明は、請求項１〜３の何れかに記載のベッドにおいて、利用者がベッド本体上に存在することを検知する存在検出手段を有し、この存在検出手段により利用者がベッド本体上に存在することを検知しなかった場合には照明装置を点灯させるように構成したことを特徴とする。
【００１４】
この構成によれば、利用者がベッド本体より降りる際だけではなく、降りた後も、照明装置が継続して点灯されるため、さらに安全性や利便性が向上する。
請求項５記載の発明は、請求項４に記載のベッドにおいて、存在検出手段と端部移動検知手段とが荷重検知センサで兼用されていることを特徴とする。
【００１５】
この構成によれば、利用者がベッド本体の端部近傍に移動したことをさらに良好に検知することができるだけでなく、荷重検知センサで存在検出手段と端部移動検知手段とが兼用されるため、存在検出手段と端部移動検知手段とを別個に設けた場合と比べて製造コストを低減できる。
【００１６】
請求項６記載の発明は、請求項５に記載のベッドにおいて、荷重検知センサにより利用者の体重を検知し、その体重の履歴を記憶する記憶手段を備えたことを特徴とする。
【００１７】
この構成によれば、ベッドの利用者の体重を管理することも可能となり、一層利便性が向上する。
【００１８】
【発明の実施の形態】
以下、本発明の実施の形態について、図１〜図６を用いて説明する。ここで、図１は本発明の実施の形態にかかるベッドの全体斜視図、図２はベッドの支持脚部およびその近傍箇所の要部背面断面図、図３は照明ユニットのサイドパネルへの取り付け方を簡略的に示す要部背面断面図、図４はベッドのボトム面に作用する荷重を説明するための図、図５は本発明の他の実施の形態にかかるベッドの全体斜視図、図６はその他の実施の形態にかかるベッドの荷重測定ユニットおよび支持脚部、高さアジャスタを示す正面図である。
【００１９】
図１および図２において、１００はベッド、１はベッド本体で、このベッド本体１は、基本的に、マットが載せられるボトム２と、ボトム２を下方並びに左右から保持するベース３やサイドパネル４と、頭部方向端部位置（以下、頭部方向とは、利用者が正規に寝た場合の頭部側となる水平方向である、図１に示すＸ１方向を意味するものとする）に配設されたトップボード５と、脚部方向端部位置（以下、脚部方向とは、利用者が正規に寝た場合の脚部側となる水平方向である図１に示すＸ２方向を意味するものとする）に配設されたフットボード６とから構成されている。また、ベース３の脚部方向寄り左右位置と頭部方向寄り左右位置との４箇所には支持脚部７（７Ａ〜７Ｄ）が下方に延びるように設けられ、各支持脚部７の下端部には、レベルボルトなどからなる高さアジャスタ８が取付けられて、ベッド本体１全体を良好な水平姿勢に調整できるよう構成されている。なお、ボトム２は、マットが載せられる移動可能ボトム２ａと所定位置に固定されている固定ボトム２ｂとから構成されている。
【００２０】
ベッド本体１には、サイドパネル４の裏面に、このベッド本体１が置かれる床面１０の足元位置などを照らす照明装置としての照明ユニット２０が設けられている。さらに、このベッド本体１が置かれる床面１０と、脚部方向寄りの各支持脚部７との間には、脚部方向寄りの各支持脚部７Ａ、７Ｂに作用する荷重を測定する端部移動検知手段としての荷重測定ユニット３０がそれぞれ介装されている。なお、床面１０と、頭部方向寄りの各支持脚部７Ｃ、７Ｄとの間には、荷重測定ユニット３０と外形が同じで、荷重測定機能を有しないスペーサ９がそれぞれ介装されている。
【００２１】
なお、この実施の形態では、マットが載せられる移動可能ボトム２ａが背上げ動作と脚上げ動作とを行うことができるように移動自在とされたものが示されているが、これらの機能を有しないものでもよいことはもちろんである。また、本実施の形態では、固定ボトム２ｂに取り付けられたサイドパネル保持具１２にサイドパネル４が外側から差し込まれて支持され、また、サイドパネル保持具１２などを介してベース３にてサイドパネル４やボトム２などが支持されているが、これに限るものではない。また、サイドパネル４、トップボード５、フットボード６は、木製板（天然目、合板、繊維板、パーティクルボードなど）が用いられているがこれに限るものではない。
【００２２】
図２に示すように、この実施の形態においては、照明ユニット２０は、サイドパネル４の裏面に取り付けられている。照明ユニット２０には、床面１０を照らすＬＥＤからなる光源２１と、この光源２１を制御する照明制御部２２と、光源２１からの光が上方や側方に洩れて利用者の視界に直接入ることのないように覆うシェード２６などが配設されている。
【００２３】
脚部方向寄りの各支持脚部７Ａ、７Ｂと床面１０との間に介装されている２つの荷重測定ユニット３０のそれぞれには、ロードセルからなり、各支持脚部７Ａ、７Ｂに作用する荷重を検知し、検知した荷重を電気信号に変換する荷重検知センサ３１や、荷重検知センサ３１からの電気信号を荷重に対応した電圧（荷重値信号）として中央制御ユニット４０に出力する演算制御部や増幅器など（図示せず）がそれぞれ組み込まれている。また、図１における４０は制御手段としての中央制御ユニットで、この中央制御ユニット４０には、荷重測定ユニット３０からの荷重値信号が入力され、照明制御部２２や背上げ動作用駆動モータならびに脚上げ動作用駆動モータを制御し、各種のデータを記憶する記憶部を有している。この記憶部には、利用者がベッド本体１上にいない状態での、マットや布団などを含むベッド本体１の重量によって各荷重測定ユニット３０に作用する平均的な重量がキャンセル用荷重として予め記憶されている。中央制御ユニット４０は、荷重値信号と記憶部が記憶している後述する所定値とを比較するなどして、利用者の行動に基づいて照明制御部２２により照明ユニット２０を制御する。
【００２４】
中央制御ユニット４０が設けられている箇所には、荷重測定ユニット３０や照明ユニット２０などに給電する給電部（図示せず）も設けられている。なお、この実施の形態では中央制御ユニット４０がトップボード５に配設されている場合を示したが、これに限るものではなく、サイドパネル４に組み付けるなどしてもよい。また、荷重検知センサ３１は、必ずしもロードセルからなる必要はなく、圧電素子等であってもよい。
【００２５】
また、この実施の形態においては、照明ユニット２０の配設位置が変更可能とされており、照明ユニット２０を、サイドパネル４の裏面における頭部方向寄りの箇所、中央箇所、脚部方向寄りの箇所の左右合わせて６つの位置に組付け可能に構成されている。
【００２６】
以下に、図３を用いて照明ユニット２０をサイドパネル４に取り付ける方法を説明する。前記６つの位置には、照明ユニット２０を組付けるための鬼目ナット２３を埋設するナット取付穴２４がそれぞれ設けられており、所望の箇所のナット取付穴２４に鬼目ナット２３を埋設し、照明ユニット２０の挿通孔２７を通して取付用ボルト２５を通して固定することで、照明ユニット２０の取付位置を変更したり、照明ユニット２０を複数設けたりすることができる。
【００２７】
中央制御ユニット４０は以下のような演算制御動作を行う。
所定の時間間隔、例えば１〜３ｓｅｃの間隔で、脚部方向左側（図１のＸ２方向のＹ２方向側）に配置され、支持脚部７Ｂに作用する荷重を測定する荷重測定ユニット３０ｂの荷重値信号ｂと、脚部方向右側（図１のＸ２方向のＹ１方向側）に配置され、支持脚部７Ａに作用する荷重を測定する荷重測定ユニット３０ａの荷重値信号ａとが入力される。そして、各荷重測定ユニット３０からの各荷重値信号（ここでは荷重値信号ａと荷重値信号ｂ）を基に各荷重値を合計した合計荷重値を求め、この合計荷重値と、記憶しているキャンセル用荷重とを比較してベッド本体１上に利用者がいるかどうかを判定する。すなわち、合計荷重値から２つの支持脚部７Ａ、７Ｂのキャンセル用荷重の合計値を差し引いて演算し、この値が所定範囲内である場合（例えば±５ｋｇの範囲内である場合）には、光源２１を点灯させる。これにより、利用者が離床して不在となった際には、光源２１が点灯する。
【００２８】
また、荷重値信号ａから支持脚部７Ａに作用する荷重値Ｒ１を求め、荷重値信号ｂから支持脚部７Ｂに作用する荷重値Ｒ２を求める。そして、荷重値Ｒ１、Ｒ２からベッド本体１の左側（Ｙ２方向側）、右側（Ｙ１方向側）の何れかの荷重が偏ったことを検知した場合には、その荷重が偏って負荷されている側の照明ユニット２０の光源２１が点灯される（また、ベッドから降りる側が決まっている場合には、その降りる側のみに照明ユニット２０を取付け、この照明ユニット２０の光源２１が点灯される）。これにより、利用者が離床して不在となった際に、光源２１が点灯するだけでなく、利用者が離床しようとして、ベッド本体１の左端部または右端部に移動した際にも移動側の光源２１が点灯する。
【００２９】
なお、図４に簡略的に示すように、利用者の体重をＰとすると、ボトム２の上面から各支持脚部７（７Ａ、７Ｂ）に作用する荷重値Ｒ１、Ｒ２は、Ｒ１＝（Ｌ２／Ｌ）×Ｐ、Ｒ２＝（Ｌ１／Ｌ）×Ｐである。ここで、Ｌは支持脚部７Ａ、７Ｂ間の距離、Ｌ１は体重Ｐの重心から支持脚部７Ａまでの距離、Ｌ２は体重Ｐの重心から支持脚部７Ｂまでの距離である。したがって、各荷重測定ユニット３０で検出した荷重値から前記キャンセル用荷重値を差し引いた荷重値Ｒ１、Ｒ２から、利用者の重心位置がわかり、この重心位置が、ベッド本体１の左端部（Ｙ２方向端部）または右端部（Ｙ１方向端部）に極めて近づいた際に、その側の照明ユニット２０の光源２１を点灯させる。つまり、利用者が例えば、支持脚部７Ａ上に近づけば、荷重値Ｒ１が体重Ｐに近くなり、荷重値Ｒ２が０に近くなることになる。したがって、例えば、これらの荷重値Ｒ１、Ｒ２の差が所定値（例えば３０ｋｇ）を越えた場合、または、値荷重Ｒ１、Ｒ２の比が所定値（例えば１／１０）以下となった場合に、その荷重が偏ってかけられている側の光源２１を点灯させる。
【００３０】
なお、上記キャンセル用荷重を記憶部に記憶させることなく、利用者のベッド本体１上の存在と、ベッド本体１から降りようとしていることを簡略的に判別することも可能である。この場合には、各支持脚部７（７Ａ、７Ｂ）の荷重値Ｒ１、Ｒ２の合計が所定値よりも小さくなった場合に、ベッド本体１から離床したと判別して照明ユニット２０の光源２１を点灯させる。また、各支持脚部７（７Ａ、７Ｂ）の荷重値Ｒ１、Ｒ２間の差が所定値を越えた場合に、その荷重が偏ってかけられている側の光源２１を点灯させる。
【００３１】
これらの構成により、ベッド１００の利用者がベッド本体１から降りようとしてベッド本体１の端部近傍に移動すると、光源２１が点灯して、降りようとしている床面１０の箇所が照明される。この結果、利用者は、照明されている、降りようとしている箇所などを目で確認しながら安全にベッド本体１から降りることができる。また、利用者がベッド本体１より降りた後も、照明ユニット２０の光源２１が継続して点灯されて床面１０が照明されるため、安全に歩くことができる。
【００３２】
また、ベッド１００の利用者が、介護を必要とする要介護者である場合には、利用者がベッド１００から離れた場合には、光源２１が点灯するので、介護者はベッド１００から少し離れた位置からでも、光源２１が点灯していれば、要介護者である利用者が離床しており、また、光源２１が消灯していればベッド１００にいることを容易に知ることができる。さらに、ベッド１００を利用する要介護者が、ベッド本体１から降りようとしている場合にも、光源２１が点灯するので、介護者はベッド１００から少し離れた位置からでも、その状況を容易に知ることができて、介護に向かうことができる。
【００３３】
また、介護者のいる部屋などに、警告音発生手段や、警告表示ランプなどを設けることで、要介護者がベッド本体１から降りようとしている場合やベッド１００から離れた場合に、上記警告音発生手段により警告音を発生させたり、警告表示ランプを点灯させて介護者に知らせることも可能となる。
【００３４】
なお、照明ユニット２０やベッド本体１の一部に、照度センサを取り付けて、夜間などの暗くなった時だけ、照明ユニット２０の光源２１を点灯可能に構成することが望ましく、この構成によれば、明るい時には光源２１が点灯しないので、経済的となる。
【００３５】
さらに、荷重測定ユニット３０やベッド本体１の一部などに、人体検知センサを取り付けて、介護者などがベッドに近づいて人体検知センサがこの介護者の足などを検知した際に、光源２１を点灯させるように構成してもよい。この場合には、介護者が歩く際などに床面１０が照明されて介護者の安全を確保することができる。また、上述したように、照明ユニット２０にシェード２６を設けて光源２１からの光が介護者の視界に直接入ったり、部屋全体が明るくなって要介護者を覚醒させたりすることがないように防止することが望ましい。なお、人体検知センサとしては、赤外線量の変化を感知するタイプと、ＬＥＤを発光させ、その反射光により距離を測定して人を検知するタイプとの２種類のものがあるが、何れのタイプのものを用いてもよい。さらに、介護者の足が遠ざかったことを検知して消灯させるように構成してもよいが、これに代えて、タイマーを設けて、一定時間だけ点灯させるようにしてもよい。
【００３６】
ところで、明るい照明は、完全に暗順応した目に対して強い視角刺激になり覚醒作用をもたらし、さらに、利用者が、トイレにいく回数が多く、睡眠深度の浅い高齢者に対しては特に配慮することが望ましい。したがって、照明ユニット２０の光源２１としては、１０ルクス以下で、高齢者に対しても覚醒を与えないように色温度を５０００Ｋ（ケルビン）以下のものを用いるとよい。また、足元灯としての光源２１としては、上述したようにＬＥＤを用いる以外に、電球や面状発光体なども用いてもよいが、ＬＥＤを用いることで、寿命が長くて、メンテナンスが不要である利点がある。なお、光源２１を手動で点灯させるスイッチを設けて常備灯として利用可能に構成してもよい。
【００３７】
また、上記のように、脚部方向寄りの各支持脚部７Ａ、７Ｂと床面１０との間に介装されている２つの荷重測定ユニット３０ａ、３０ｂを用いることで、利用者が背上げ姿勢であるかどうかを判断することも可能である。すなわち、利用者が背上げ動作や脚上げ動作を行わずに、平坦な状態のボトム２に寝ている状態では、４箇所の支持脚部７Ａ、７Ｂ、７Ｃ、７Ｄにほぼ均等に荷重がかかる。一方、背上げ動作を行うと、利用者の上半身が脚部方向側に移動するため、これに伴って、脚部方向寄り位置に配設された荷重測定ユニット３０ａ、３０ｂへ作用する荷重が増加する。この現象を利用して、前記荷重測定ユニット３０ａ、３０ｂへの荷重が増加したことを検知した場合に、照明ユニット２０の光源２１を点灯させるように構成することで、利用者が要介護者である場合に、要介護者が背上げ姿勢であることを、介護者はベッド１００から少し離れた位置からでも容易に知ることができて、介護に向かうこともでき、また、光源２１が点灯して床面１０が照明されるため、要介護者がベッド本体１から転倒する危険性を最小限に抑えることが可能となる。さらに、この場合も、介護者のいる部屋などに、警告音発生手段や、警告表示ランプなどを設けて、利用者が背上げ動作を行ってこれを検知した際に、上記警告音発生手段により警告音を発生させたり、警告表示ランプを点灯させて介護者に知らせることも可能である。
【００３８】
さらに、要介護者が苦しんだり暴れたりした際には、荷重測定ユニット３０への入力荷重が変化する状態が繰り返される。したがって、荷重測定ユニット３０の出力信号から、この状態が一定時間作用することを検知して、要介護者の異常を、照明ユニット２０の光源２１の点灯や、警告音の発生、警告表示ランプの点灯などにより介護者などに知らせるように構成してもよい。また、この際に、照明ユニット２０から照度の高い光源を点灯させるように構成してもよい。
【００３９】
また、図５に示すように、４つ全ての支持脚部７Ａ、７Ｂ、７Ｃ、７Ｄと床面１０との間に荷重測定ユニット３０ａ、３０ｂ、３０ｃ、３０ｄをそれぞれ介装してもよい。この場合には、ベッド本体１の左側（図５のＹ２方向側）の２つの荷重測定ユニット３０ｂ、３０ｄから出力される荷重値信号から、Ｙ２方向側に位置する支持脚部７Ｂ、７Ｄに作用する荷重値の合計の値Ｒ２を求めるとともに、ベッド本体１の右側（図５のＹ１方向側）の２つの荷重測定ユニット３０ａ、３０ｃから出力される荷重値信号から、Ｙ１方向側に位置する支持脚部７Ａ、７Ｃに作用する荷重値の合計の値Ｒ１を求め、両荷重値Ｒ２、Ｒ１の合計の値を比較することで、より正確に、利用者がベッド本体１から降りようとしてベッド本体１の端部近傍に移動したことを検知できるので、照明ユニット２０の光源２１を良好なタイミングで点灯させることが可能となる。
【００４０】
また、この実施の形態では、中央制御ユニット４０の一部などに、０調整ボタン４１を組み込み、この０調整ボタン４１を、利用客がベッド本体１上にいない状態で押すことで、マットや布団などを含むベッド本体１の重量を荷重測定ユニット３０により測定して合計し、中央制御ユニット４０の記憶部にベッド重量値として記憶されるようになっている。
【００４１】
この構成によれば、利用者の体重を測定することもできるので、中央制御ユニット４０などに、体重測定用スイッチ４２や体重表示部４３を設けて、体重を表示させることも可能である。また、ベッド１００が多数配設されている施設などにおいては、介護者や管理者がいる部屋に、体重測定用スイッチや体重表示部を設けて、体重を表示させて管理することも可能であり、体重の履歴を記憶させることで、要介護者の体重変化などを管理することも可能である。特に、ベッド１００の利用者が寝たきりの要介護者である場合、通常、体重の測定が困難である場合が多いが、この構成によれば、体重の管理を容易に行える利点がある。
【００４２】
なお、上記何れの実施の形態においても、中央制御ユニット４０と荷重測定ユニット３０と照明ユニット２０との信号の入出力手段としては、有線で接続するだけでなく、無線でやりとりしてもよい。
【００４３】
また、図６に示すように、荷重測定ユニット３０内に照明ユニット２０を内蔵させてもよい。また、荷重測定ユニット３０や照明ユニット２０を支持脚部７と床面１０との間に介装した構成とすることで、従来より用いられている一般のベッドに荷重測定ユニット３０や照明ユニット２０を後から追加して本発明のシステムに改良することが比較的容易にできる利点もある。
【００４４】
また、利用者が健側、患側を有する要介護者である場合には、通常、ベッド本体１に対して健側からベッド本体１に乗り降りするため、ベッド本体１における健側の箇所に照明ユニット２０を設けると便利である。また、利用者がベッド本体１から降りる位置が決まっている場合には、その位置近傍の支持脚部７だけに荷重測定ユニット３０を設けることも可能である。この場合には、その荷重測定ユニット３０に所定値以上の荷重が作用した場合（例えば、ベッド本体１の分散荷重分に３０ｋｇ分以上の体重が負荷した値を所定値として、それ以上の荷重が作用した場合）には、利用者がベッドから降りようとしているとみなして、照明ユニット２０の光源２１を点灯させ、かつ、前記荷重測定ユニット３０に所定値以下の荷重が作用した場合（例えば、ベッド本体１の分散荷重分に対応する値を所定値として、それ以下の荷重が作用した場合）には、利用者がベッド１００から離床したとみなして照明ユニット２０の光源２１を点灯させても、同様の効果を得ることができる。
【００４５】
また、上記実施の形態では照明ユニット２０の光源２１により、利用者がベッド本体１から降りる際に、足元の床面１０を照明する場合を述べたが、これに限るものではなく、ヘッドボード５に設けた照明具なども点灯するように構成してもよい。
【００４６】
【発明の効果】
以上のように本発明によれば、利用者がベッド本体の端部近傍に移動したことを端部移動検知手段により検知し、利用者がベッド本体の端部近傍に移動したことを検知した際に照明装置を点灯させるように構成することにより、利用者がベッドを降りる前にベッド本体の周囲を照明することができ、利用者は降りる箇所などを目で確認しながら安全に降りることができ、安全性並びに利便性を向上させることができる。
【００４７】
また、端部移動検知手段として荷重検知センサを用いることで、利用者がベッド本体の端部近傍に移動したことを良好に検知することができる。
また、荷重検知センサを、ベッド本体に設けられている支持脚部と、ベッド本体が設置されている床面との間に介装することで、ベッド本体に作用する荷重を良好に検出するすることができる。また、一般のベッドに荷重検知センサを後から追加して本発明のシステムに改良することが比較的容易にできる。
【００４８】
また、利用者がベッド本体上に存在することを検知する存在検出手段を設け、この存在検出手段により利用者がベッド本体上に存在することを検知しなかった場合には照明装置を点灯させるように構成したことで、利用者がベッド本体より降りる際だけではなく、降りた後も、照明装置が継続して点灯されるため、さらに安全性や利便性が向上する。
【００４９】
さらに、存在検出手段と端部移動検知手段とを荷重検知センサで兼用することで、存在検出手段と端部移動検知手段とを別個に設けた場合と比べて製造コストを低減できる。
【００５０】
また、荷重検知センサにより利用者の体重を検知し、その体重の履歴を記憶する記憶手段を備えたことで、ベッドの利用者の体重を管理することも可能となり、一層利便性が向上する。
【図面の簡単な説明】
【図１】本発明の実施の形態にかかるベッドの全体斜視図である。
【図２】同ベッドにおける支持脚部およびその近傍箇所の要部背面断面図である。
【図３】同ベッドにおける照明ユニットのサイドパネルへの取り付け方を簡略的に示す要部背面断面図である。
【図４】同ベッドにおけるボトム面に作用する荷重を説明するための図である。
【図５】本発明の他の実施の形態にかかるベッドの全体斜視図である。
【図６】その他の実施の形態にかかる荷重測定ユニットおよび支持脚部、高さアジャスタを示す正面図である。
【符号の説明】
１　　　　ベッド本体
２　　　　ボトム
３　　　　ベース
４　　　　サイドパネル
５　　　　トップボード
６　　　　フットボード
７、７Ａ、７Ｂ、７Ｃ、７Ｄ　　支持脚部
８　　　　高さアジャスタ
９　　　　スペーサ
１０　　　床面
２０　　　照明ユニット
２１　　　光源
２３　　　鬼目ナット
２４　　　ナット取付穴
２５　　　取付用ボルト
２６　　　シェード
３０、３０ａ、３０ｂ、３０ｃ、３０ｄ　　　荷重測定ユニット
３１　　　荷重検知センサ
４０　　　中央制御ユニット
４１　　　０点調整ボタン
１００　　ベッド
【図１】
2004024370.tif 000003
【図２】
2004024370.tif 000004
【図３】
2004024370.tif 000005
【図４】
2004024370.tif 000006
【図５】
2004024370.tif 000007
【図６】
2004024370.tif 000008